【手続補正書】
【提出日】平成25年1月23日(2013.1.23)
【手続補正１】
【補正対象書類名】特許請求の範囲
【補正対象項目名】全文
【補正方法】変更
【補正の内容】
【特許請求の範囲】
【請求項１】
推進剤と、
前記推進剤からある量のガスを発生するガス発生器と、
船の浮力を消散するために、前記ガス発生器によって発生された前記ガスを前記船の吃水線の下で放射状に拡散する、複数の拡散ポートを有する拡散装置と、
前記ガス発生器によって発生されるガスの量を変化させるために、点火される前記推進剤の量を変えるように、推進剤の装填サイズを制御する推進剤装填サイズ制御回路と、
を具備している、浮力消散装置。
【請求項２】
前記推進剤装填サイズ制御回路は、前記船の寸法評価に基づいて、ユーザにより、前記推進剤の装填サイズが選択されることを可能にする、請求項１記載の浮力消散装置。
【請求項３】
発生される前記ガスの量を変化させるように、点火される前記推進剤の量を制御するために、複数の点火装置をさらに具備しており、
ここで、各点火装置は前記推進剤の別々の部分に点火する、請求項１記載の浮力消散装置。
【請求項４】
前記推進剤はエアバッグ発生剤を具備している請求項１記載の浮力消散装置。
【請求項５】
前記ガス発生器によって発生された前記ガスが、ガス発生期間中に抜け出て、前記吃水線の下で拡散することを、前記複数の拡散ポートが可能にする、請求項１記載の浮力消散装置。
【請求項６】
前記複数の拡散ポートは、前記浮力消散装置に対して放射状に前記ガスを拡散するために、前記拡散装置の周囲に放射状に配置された複数の孔を具備している請求項５記載の浮力消散装置。
【請求項７】
前記推進剤の爆発を起こさせる信管をさらに具備している請求項１記載の浮力消散装置。
【請求項８】
推進剤と、
前記推進剤の爆発を起こさせる信管と、
前記推進剤からある量のガスを発生するガス発生器と、
船の浮力を消散するために、前記ガス発生器によって発生された前記ガスを、前記船の吃水線の下で拡散する拡散装置と、
前記信管に応答する信管回路と、
前記信管回路からの指示に応答して前記推進剤に点火する点火装置へ点火信号を与える制御回路と、
ユーザによる推進剤の装填サイズの選択を可能にする装填サイズ選択装置と、
前記推進剤の装填サイズの選択に応答して、点火される推進剤の量を制御する推進剤制御素子と、
を具備し、
ここで、前記推進剤の装填サイズの選択は、発生される前記ガスの量を変化させる、浮力消散装置。
【請求項９】
前記浮力消散装置を収容する転送シェルをさらに具備している請求項８記載の浮力消散装置。
【請求項１０】
前記転送シェルは、銃砲で発射される、請求項９記載の浮力消散装置。
【請求項１１】
ある量のガスを発生するために推進剤に点火する点火装置を含むガス発生器と、
船の浮力を消散するために前記船の吃水線の下で前記ある量のガスを拡散する、複数の拡散ポートを具備している拡散装置と、
前記推進剤が点火後に燃焼して膨張することを可能にする領域を前記浮力消散装置内に与える圧力シリンダと、
前記吃水線の下に前記浮力消散装置を維持するバラストと、
前記推進剤の爆発を起こさせる信管と、
前記ガス発生器と、前記拡散装置と、前記圧力シリンダと、前記バラストと、前記信管とを収容する転送シェルと、
前記船の寸法評価に基づいてユーザにより推進剤の装填サイズを選択可能にする推進剤装填サイズ選択制御回路と、
を具備し、
ここで、前記転送シェルは、前記船の方に銃砲で発射され、
前記信管は、予め定められた期間後にまたは前記船の検出時に前記推進剤を爆発させるために、前記転送シェルと前記吃水線との衝突時に爆発を起こさせる、不審な船の阻止装置。
【請求項１２】
前記複数の拡散ポートは、前記ガスが放射状に拡散することを可能にするために前記拡散装置の周囲に放射状に配置されている複数の孔を具備しており、
ここで、前記推進剤はエアバッグ発生剤を具備している、請求項１１記載の装置。
【請求項１３】
浮力消散装置により船を阻止する方法であって、
前記方法は、
前記船の寸法評価に基づいて、推進剤の装填サイズを選択するステップと、
推進剤に点火することによりガスの迅速な発生を開始するステップと、
前記船の浮力を消散するために、気泡を発生させるように、前記船の吃水線の下で前記ガスを放射状に拡散するステップと、
を含んでおり、
ここで、前記推進剤の装填サイズを選択するステップは、発生される前記ガスの量を変化させる、方法。
【請求項１４】
前記浮力消散装置を収容している転送シェルを前記船の前記吃水線の上から発射し、前記浮力消散装置が前記吃水線の下で前記船の方へ進むステップと、
前記転送シェルと前記吃水線との衝突時に爆発を起こさせるステップと、
前記吃水線との衝突後から予め定められた期間後に、または前記船の検出時に、前記推進剤に点火するステップと、
をさらに含んでいる請求項１３記載の方法。
【請求項１５】
浮力消散装置により船を阻止する方法であって、
前記方法は、
転送シェルを前記船の前記吃水線の上から発射し、前記浮力消散装置が前記吃水線の下で前記船の方へ進むステップと、
前記転送シェルと前記吃水線との衝突時に爆発を起こさせるステップと、
前記吃水線との衝突後から予め定められた期間後に、または前記船の検出時に、推進剤に点火して、ガスの迅速な生成を開始するステップと、
前記船の浮力を消散するために、気泡を発生させるように、前記船の吃水線の下で前記ガスを拡散するステップと、
前記船の寸法評価に基づいて、推進剤の装填サイズのユーザによる選択を行うステップと、
を含んでおり、
ここで、前記推進剤の装填サイズの選択は、発生される前記ガスの量を変化させる、方法。
【手続補正２】
【補正対象書類名】明細書
【補正対象項目名】００３１
【補正方法】変更
【補正の内容】
【００３１】
要約書は27 C.F.R条文1.72(b)に準じて与えられており、要約書は読手が技術的説明の特徴および主旨を解明することを可能にすることを要求している。これは請求項の技術的範囲又は意味を限定或いは解釈するために使用されるものではないことを理解する。特許請求の範囲はここでは詳細な説明に組み込まれ、各請求項は別の実施形態として独立して自立している。
以下に、本願出願時の特許請求の範囲に記載された発明を付記する。
[１]推進剤から多量のガスを発生するためのガス発生器と、
船の浮力を消散するために前記船の吃水線の下に多量のガスを拡散するための拡散装置とを具備している浮力消散装置。
[２]前記ガス発生器は、前記推進剤を点火するように構成されている点火装置を含んでおり、
前記浮力消散装置はさらに点火後に前記推進剤が燃焼し膨張することを可能にするための領域を前記浮力消散装置内に与えるための圧力シリンダを含んでいる前記[１]記載の浮力消散装置。
[３]さらに前記吃水線の下に前記浮力消散装置を維持するためのバラストを具備している前記[１]記載の浮力消散装置。
[４]前記浮力消散装置は可変の推進剤負荷を与えるように構成されており、
推進剤の装填サイズは前記ガスの量を変化するように点火される前記推進剤の量を変化するように選択可能である前記[１]記載の浮力消散装置。
[５]前記推進剤の装填サイズは前記推進剤の装填の選択が前記船の寸法評価に基づくことを可能にするようにユーザにより選択可能である前記[４]記載の浮力消散装置。
[６]さらに、発生される前記ガスの量を変化するために点火される前記推進剤の量を制御するための複数の点火装置を具備しており、
各点火装置は前記推進剤の別々の部分を点火するように構成されている前記[４]記載の浮力消散装置。
[７]さらに、前記推進剤を具備し、前記推進剤はエアバッグ発生剤を具備している前記[１]記載の浮力消散装置。
[８]前記拡散装置はガス発生期間中に前記多量のガスが脱出し前記多量のガスを拡散することを可能にするための複数の拡散ポートを含んでいる前記[１]記載の浮力消散装置。
[９]前記拡散ポートは前記浮力消散装置に関して前記多量のガスを放射状に拡散するため前記拡散装置周囲に放射状に位置する孔を具備している前記[８]記載の浮力消散装置。
[１０]さらに、前記推進剤の爆発を開始させるように構成されている信管を具備している前記[１]記載の浮力消散装置。
[１１]さらに、前記信管に応答する信管回路と、
前記信管回路からの指示に応答して前記推進剤を点火するために点火装置へ点火信号を与えるように構成されている制御回路と、
ユーザによる推進剤の装填サイズの選択を可能にするための装填サイズ選択装置と、
点火される推進剤の量を制御するために推進剤の装填サイズの選択に応答する推進剤制御素子とを具備し、
前記推進剤の装填サイズの選択は発生される前記ガスの量を変化させる前記[１０]記載の浮力消散装置。
さらに、前記浮力消散装置を含むための前記転送シェルを具備している前記[１]記載の浮力消散装置。
[１３]前記転送シェルは前記多量のガスが前記転送シェルを脱出することを可能にするためガス発生期間中に破裂するように構成されている前記[１２]記載の浮力消散装置。
[１４]前記転送シェルは前記船の方向に銃砲で発射されるように構成されている前記[１２]記載の浮力消散装置。
[１５]多量のガスを発生するために推進剤を点火する点火装置を含むガス発生器と、
船の浮力を消散するために前記船の吃水線下に前記多量のガスを拡散するための複数の拡散ポートを具備している拡散装置と、
前記推進剤が点火後に燃焼して膨張することを可能にするための領域を前記浮力消散装置内に与えるための圧力シリンダと、
前記吃水線下に前記浮力消散装置を維持するためのバラストと、
前記推進剤の爆発を開始させるように構成されている信管とを具備している不審な船の阻止装置。
[１６]さらに、前記ガス発生器、前記拡散装置、前記圧力シリンダ、前記バラスト、前記信管を含むための転送シェルを具備し、
前記転送シェルは前記船の方向に銃砲で発射されるように構成され、
前記信管は予め定められた時間期間後、または前記船の検出時に、前記推進剤の爆発のために前記転送シェルと前記吃水線との衝突時に爆発を起こすように構成されている前記[１５]記載の装置。
[１７]さらに、推進剤の充填サイズが前記船の寸法評価に基づいてユーザにより選択可能にするための推進剤の充填サイズ選択制御回路を具備している前記[１６]記載の装置。
[１８]前記拡散ポートは前記多量のガスが放射状に拡散することを可能にするために前記拡散装置の周囲に放射状に位置されている孔を具備しており、
前記推進剤はエアバッグ発生剤を具備している前記[１７]記載の装置。
[１９]推進剤を点火することによりガスの迅速な発生を開始し、
前記船の浮力を消散するため気泡を発生するように前記船の吃水線下で前記ガスを拡散するステップを含んでいる浮力消散装置により船を阻止する方法。
[２０]前記浮力消散装置を含む転送シェルを前記船の方向へ発射し、前記浮力消散装置は前記吃水線下で前記船の方向へ進むように構成されており、
前記転送シェルと前記吃水線との衝突時に爆発を開始し、
前記吃水線との衝突後、または前記船の検出時に予め定められた時間期間後に前記推進剤を点火するステップをさらに含んでいる前記[１９]記載の方法。
[２１]さらに、前記船の寸法評価に基づいた推進剤の装填サイズのユーザによる選択を行い、前記推進剤の充填サイズの選択は発生される前記ガスの量を変化させる前記[２０]の方法。